(57)【要約】【課題】  プレゼンスリストを登録する場合における負担をより軽減することができ、ユーザの管理をより容易に行うことができるプレゼンスリスト管理方法を提供する。【解決手段】  ユーザ端末１０と、プレゼンスサーバ３０と、情報配信サーバ４０と、ネットワークを介して相互に交信可能に接続されたプレゼンスリストの管理システムに用いられるプレゼンスリスト管理方法であって、ユーザプレゼンスリスト処理ステップと、共有プレゼンスリスト処理ステップと、バディ状態処理ステップとを含むプレゼンスリスト管理方法などにより課題を解決した。【選択図】  図５
2006172393.tif 000002
【特許請求の範囲】
【請求項１】
複数のユーザ端末と、各ユーザ端末を識別するためのユーザ識別情報及び各ユーザ端末の属するグループを識別するためのグループ識別情報と、ユーザ識別標識と関連付けられ、当該各ユーザ端末においてユーザプレゼンスリストの作成に必要な情報と、グループ識別標識と関連付けられ、当該各ユーザ端末において共用プレゼンスリストの作成に必要な情報が登録されているプレゼンスリストデータベースを有するデータベース部を備えたプレゼンスサーバと、他のユーザ端末に情報を配信する情報配信サーバと、登録サーバとが、ネットワークを介して相互に交信可能に接続されたプレゼンスリストの管理システムに用いられるプレゼンスリスト管理方法であって、
各ユーザ端末から送られたユーザプレゼンスリスト要求情報、または各ユーザ端末が要求したグループＩＤが含まれたプレゼンスサーバのプレゼンスリストに、前記ユーザプレゼンスリスト要求情報と前記グループＩＤに対応する共用プレゼンスリスト要求情報とを前記プレゼンスサーバが取得し、当該取得したユーザプレゼンスリスト要求情報に基づき、前記ユーザプレゼンスリストデータベースから当該ユーザプレゼンスリスト要求情報に含まれるユーザ識別標識に関連付けられたユーザプレゼンスリストの作成に必要な情報を抽出し、その後、抽出したユーザプレゼンスリストの作成に必要な情報を各ユーザ端末に送信するユーザプレゼンスリスト処理ステップと、
前記ユーザ端末は前記プレゼンスリストにグループＩＤが含まれており、前記ユーザ端末を介して要求する共用プレゼンスリスト要求情報あるいは各ユーザ端末から送られた共用プレゼンスリスト要求情報を前記プレゼンスサーバが取得した後、当該取得した共用プレゼンスリスト要求情報に基づき、前記共用プレゼンスリストデータベースから当該共用プレゼンスリスト要求情報に含まれるグループ識別標識に関連付けられた共用プレゼンスリストの作成に必要な情報を抽出し、抽出した共用プレゼンスリストの作成に必要な情報を各ユーザ端末に送信する共用プレゼンスリスト処理ステップと、
前記抽出したユーザプレゼンスリストの作成に必要な情報に含まれるすべてのバディの状態を前記プレゼンスサーバが取得し、当該バディの状態に関する情報を各ユーザ端末に送信し及び／又は前記抽出した共用プレゼンスリストの作成に必要な情報に含まれるすべてのバディの状態を前記プレゼンスサーバが取得し、当該バディの状態を表示するために必要な情報を各ユーザ端末に送信するバディ状態処理ステップと、
を含むことを特徴とするプレゼンスリスト管理方法。
【請求項２】
前記プレゼンスリスト管理方法は、
各ユーザ端末から送られた他のユーザ端末に配信する配信情報を含む情報配信要求情報を前記情報配信サーバで取得した後、当該情報配信要求情報を前記プレゼンスサーバに送信する配信要求ステップと、
前記情報配信サーバから送られた情報配信要求情報を前記プレゼンスサーバで取得した後、当該情報配信要求情報に基づき、前記プレゼンスサーバから情報を検索して、その結果を配信検索結果情報とし、その後、当該配信検索結果情報を前記情報配信サーバに送信する配信検索ステップと、
前記プレゼンスサーバから送られた配信検索結果情報を前記情報配信サーバで取得した後、プレゼンスを参照し前記情報配信要求情報に従い他のユーザ端末に配信情報を前記プレゼンスに応じて情報配信を行う配信情報ステップと、
をさらに含むことを特徴とする請求項１に記載のプレゼンスリスト管理方法。
【請求項３】
前記プレゼンスリスト管理方法は、
前記プレゼンスサーバがユーザプレゼンスリストにバディを登録するユーザプレゼンスリスト登録情報を取得した後、前記プレゼンスリストデータベースに記録され、当該ユーザプレゼンスリスト登録情報に含まれるユーザ識別情報に関連付けられた、ユーザプレゼンスリストの作成に必要な情報に含まれるバディを識別するためのバディ識別情報を、当該ユーザプレゼンスリスト登録情報に含まれるバディを識別するためのバディ識別情報に書き換えるユーザプレゼンスリスト登録ステップと、
前記プレゼンスサーバが共用プレゼンスリストにバディを登録する共用プレゼンスリスト登録情報を取得した後、前記プレゼンスリストデータベースに記録され、当該共用プレゼンスリスト登録情報に含まれるグループ識別情報に関連付けられた、共用プレゼンスリストの作成に必要な情報に含まれるバディを識別するためのバディ識別情報を、当該共用プレゼンスリスト登録情報に含まれるバディを識別するためのバディ識別情報に書き換える共用プレゼンスリスト登録ステップと、
をさらに含むことを特徴とする請求項１または２に記載のプレゼンスリスト管理方法。
【請求項４】
前記プレゼンスリスト管理方法は、
前記プレゼンスサーバがユーザプレゼンスリストに登録されているバディを確認するためのユーザプレゼンスリスト確認情報を取得した後、当該ユーザプレゼンスリスト確認情報に含まれるユーザ識別情報に関連付けられたユーザプレゼンスリストの作成に必要な情報を前記プレゼンスリストデータベースから抽出し、その後、抽出したユーザプレゼンスリストの作成に必要な情報を、前記プレゼンスサーバから前記登録サーバに送信するユーザプレゼンスリスト確認ステップと、
前記プレゼンスサーバが共用プレゼンスリストに登録されているバディを確認するための共用プレゼンスリスト確認情報を取得した後、当該共用プレゼンスリスト確認情報に含まれるグループ識別情報に関連付けられた共用プレゼンスリストの作成に必要な情報を前記プレゼンスリストデータベースから抽出し、その後、抽出した共用プレゼンスリストの作成に必要な情報を、前記プレゼンスサーバから前記登録サーバに送信する共用プレゼンスリスト確認ステップと、
をさらに含むことを特徴とする請求項１から３のいずれか１項に記載のプレゼンスリスト管理方法。
【請求項５】
前記プレゼンスリスト管理方法は、前記プレゼンスサーバが前記プレゼンスサーバに登録されている特定のユーザを検索するための登録ユーザ検索要求情報を取得した後、当該登録ユーザ検索要求情報に基づき、前記プレゼンスサーバから特定のユーザに関する情報を検索して、その結果を登録ユーザ情報とし、その後、当該登録ユーザ情報を、前記登録サーバに送信する登録ユーザ検索ステップをさらに含むことを特徴とする請求項１から４のいずれか１項に記載のプレゼンスリスト管理方法。
【請求項６】
前記プレゼンスリスト管理方法は、前記プレゼンスサーバが前記プレゼンスサーバにユーザ識別標識を含むユーザ登録に必要なユーザ登録情報を取得した後、当該ユーザ登録情報をユーザ識別標識と関連付けてプレゼンスサーバに登録すると共に、当該ユーザ登録情報をプレゼンスサーバに登録した旨の情報を、前記登録サーバを経由して各ユーザ端末に送信するユーザ登録ステップをさらに含むことを特徴とする請求項１から５のいずれか１項に記載のプレゼンスリスト管理方法。
【請求項７】
前記プレゼンスリスト管理方法は、前記プレゼンスサーバが前記プレゼンスデータベースに登録されている特定のグループを検索するための登録グループ検索要求情報を取得した後、当該登録グループ検索要求情報に基づき、前記プレゼンスサーバから特定のグループに関する情報を検索して、その結果を登録グループ情報とし、その後、当該登録グループ情報を、前記登録サーバに送信する登録グループ検索ステップをさらに含むことを特徴とする請求項１から６のいずれか１項に記載のプレゼンスリスト管理方法。
【請求項８】
前記プレゼンスリスト管理方法は、前記プレゼンスサーバが前記プレゼンスサーバにグループ識別標識を含むグループを登録するために必要なグループ登録情報を取得した後、当該グループ登録情報をグループ識別標識と関連付けてプレゼンスサーバに登録すると共に、当該グループ登録情報をプレゼンスサーバに登録した旨の情報を、前記登録サーバを経由して各ユーザ端末に送信するグループ登録ステップをさらに含むことを特徴とする請求項１から７のいずれか１項に記載のプレゼンスリスト管理方法。
【発明の詳細な説明】
【技術分野】
【０００１】
本発明は、プレゼンスリストにユーザを登録し、各々のユーザがプレゼンスリストを使用する場合におけるプレゼンスリスト管理方法に関するものである。
【背景技術】
【０００２】
近年、インターネット上のメッセージサービスの一種として、インスタントメッセージングサービスと呼ばれるサービスが普及しつつある。
【０００３】
このサービスは、インターネット経由で他者との間でメッセージの送受信が行える点で、既存の電子メールサービスと同じであるが、メッセージサービスを提供するサーバに、プレゼンスリストと呼ばれる通信相手のリストを登録しておけば、通信相手の状態を認識しながらメッセージの送受信を行うことができる点で相違する。
【０００４】
特許文献１には、利用者に負担をかけずにプレゼンス認識処理の有効性を高めることにより、インスタントメッセージングサービスの利用価値を高めたプレゼンス情報管理方法が開示されている。
【特許文献１】特開２００３−２７１５３１号公報
【発明の開示】
【発明が解決しようとする課題】
【０００５】
しかしながら、従来のメッセージングサービスでは、プレゼンスリストへのバディの登録および管理はユーザ自らが行うシステムになっているため、これらの作業に時間と労力を要するという問題がある。
【０００６】
また、特許文献１に開示されたプレゼンス情報管理方法にしても、プレゼンスリストの登録および管理の負担をより軽減した方がユーザにとって望ましい。
【０００７】
本発明は、以上の点に鑑みてなされたものであり、その目的とするところは、プレゼンスリストを登録する場合における負担をより軽減することができ、プレゼンスリストに登録されているユーザの管理をより容易に行うことができるプレゼンスリスト管理方法を提供することにある。
【課題を解決するための手段】
【０００８】
本発明者は、上記目的を達成すべく様々な検討を重ねた結果、共用プレゼンスリストに複数のユーザを登録し、各々のユーザが共用プレゼンスリストを使用することなどにより、上記課題を達成することを見出し、本発明をするに至った。
【０００９】
即ち、本発明のプレゼンスリスト管理方法は、複数のユーザ端末と、各ユーザ端末を識別するためのユーザ識別情報及び各ユーザ端末の属するグループを識別するためのグループ識別情報と、ユーザ識別標識と関連付けられ、当該各ユーザ端末においてユーザプレゼンスリストの作成に必要な情報と、グループ識別標識と関連付けられ、当該各ユーザ端末において共用プレゼンスリストの作成に必要な情報が登録されているプレゼンスリストデータベースを有するデータベース部を備えたプレゼンスサーバと、他のユーザ端末に情報を配信する情報配信サーバと、登録サーバとが、ネットワークを介して相互に交信可能に接続されたプレゼンスリストの管理システムに用いられるプレゼンスリスト管理方法であって、各ユーザ端末から送られたユーザプレゼンスリスト要求情報、または各ユーザ端末が要求したグループＩＤが含まれたプレゼンスサーバのプレゼンスリストに、前記ユーザプレゼンスリスト要求情報と前記グループＩＤに対応する共用プレゼンスリスト要求情報とを前記プレゼンスサーバが取得し、当該取得したユーザプレゼンスリスト要求情報に基づき、前記ユーザプレゼンスリストデータベースから当該ユーザプレゼンスリスト要求情報に含まれるユーザ識別標識に関連付けられたユーザプレゼンスリストの作成に必要な情報を抽出し、その後、抽出したユーザプレゼンスリストの作成に必要な情報を各ユーザ端末に送信するユーザプレゼンスリスト処理ステップと、前記ユーザ端末は前記プレゼンスリストにグループＩＤが含まれており、前記ユーザ端末を介して要求する共用プレゼンスリスト要求情報あるいは各ユーザ端末から送られた共用プレゼンスリスト要求情報を前記プレゼンスサーバが取得した後、当該取得した共用プレゼンスリスト要求情報に基づき、前記共用プレゼンスリストデータベースから当該共用プレゼンスリスト要求情報に含まれるグループ識別標識に関連付けられた共用プレゼンスリストの作成に必要な情報を抽出し、抽出した共用プレゼンスリストの作成に必要な情報を各ユーザ端末に送信する共用プレゼンスリスト処理ステップと、前記抽出したユーザプレゼンスリストの作成に必要な情報に含まれるすべてのバディの状態を前記プレゼンスサーバが取得し、当該バディの状態に関する情報を各ユーザ端末に送信し及び／又は前記抽出した共用プレゼンスリストの作成に必要な情報に含まれるすべてのバディの状態を前記プレゼンスサーバが取得し、当該バディの状態を表示するために必要な情報を各ユーザ端末に送信するバディ状態処理ステップとを含むことを特徴とする。
【００１０】
前記プレゼンスリスト管理方法は、各ユーザ端末から送られた他のユーザ端末に配信する配信情報を含む情報配信要求情報を前記情報配信サーバで取得した後、当該情報配信要求情報を前記プレゼンスサーバに送信する配信要求ステップと、前記情報配信サーバから送られた情報配信要求情報を前記プレゼンスサーバで得した後、当該情報配信要求情報に基づき、前記プレゼンスサーバから情報を検索して、その結果を配信検索結果情報とし、その後、当該配信検索結果情報を前記情報配信サーバに送信する配信検索ステップと、前記プレゼンスサーバから送られた配信検索結果情報を前記情報配信サーバで取得した後、プレゼンスを参照し前記情報配信要求情報に従い他のユーザ端末に配信情報を前記プレゼンスに応じて情報配信を行う配信情報ステップとをさらに含むことを特徴とする。
【００１１】
また、前記プレゼンスリスト管理方法は、前記プレゼンスサーバがユーザプレゼンスリストにバディを登録するユーザプレゼンスリスト登録情報を取得した後、前記プレゼンスリストデータベースに記録され、当該ユーザプレゼンスリスト登録情報に含まれるユーザ識別情報に関連付けられた、ユーザプレゼンスリストの作成に必要な情報に含まれるバディを識別するためのバディ識別情報を、当該ユーザプレゼンスリスト登録情報に含まれるバディを識別するためのバディ識別情報に書き換えるユーザプレゼンスリスト登録ステップと、前記プレゼンスサーバが共用プレゼンスリストにバディを登録する共用プレゼンスリスト登録情報を取得した後、前記プレゼンスリストデータベースに記録され、当該共用プレゼンスリスト登録情報に含まれるグループ識別情報に関連付けられた、共用プレゼンスリストの作成に必要な情報に含まれるバディを識別するためのバディ識別情報を、当該共用プレゼンスリスト登録情報に含まれるバディを識別するためのバディ識別情報に書き換える共用プレゼンスリスト登録ステップと、をさらに含むことを特徴とする。
【００１２】
さらに前記プレゼンスリスト管理方法は、前記プレゼンスサーバがユーザプレゼンスリストに登録されているバディを確認するためのユーザプレゼンスリスト確認情報を取得した後、当該ユーザプレゼンスリスト確認情報に含まれるユーザ識別情報に関連付けられたユーザプレゼンスリストの作成に必要な情報を前記プレゼンスリストデータベースから抽出し、その後、抽出したユーザプレゼンスリストの作成に必要な情報を、前記プレゼンスサーバから前記登録サーバに送信するユーザプレゼンスリスト確認ステップと、前記プレゼンスサーバが共用プレゼンスリストに登録されているバディを確認するための共用プレゼンスリスト確認情報を取得した後、当該共用プレゼンスリスト確認情報に含まれるグループ識別情報に関連付けられた共用プレゼンスリストの作成に必要な情報を前記プレゼンスリストデータベースから抽出し、その後、抽出した共用プレゼンスリストの作成に必要な情報を、前記プレゼンスサーバから前記登録サーバに送信する共用プレゼンスリスト確認ステップとをさらに含むことを特徴とする。
【００１３】
さらにまた、前記プレゼンスリスト管理方法は、前記プレゼンスサーバが前記プレゼンスサーバに登録されている特定のユーザを検索するための登録ユーザ検索要求情報を取得した後、当該登録ユーザ検索要求情報に基づき、前記プレゼンスサーバから特定のユーザに関する情報を検索して、その結果を登録ユーザ情報とし、その後、当該登録ユーザ情報を、前記登録サーバに送信する登録ユーザ検索ステップをさらに含むことを特徴とする。
【００１４】
さらにまた、前記プレゼンスリスト管理方法は、前記プレゼンスサーバが前記プレゼンスサーバにユーザ識別標識を含むユーザ登録に必要なユーザ登録情報を取得した後、当該ユーザ登録情報をユーザ識別標識と関連付けてプレゼンスサーバに登録すると共に、当該ユーザ登録情報をプレゼンスサーバに登録した旨の情報を、前記登録サーバを経由して各ユーザ端末に送信するユーザ登録ステップをさらに含むことを特徴とする。
【００１５】
またさらに、前記プレゼンスリスト管理方法は、前記プレゼンスサーバが前記プレゼンスデータベースに登録されている特定のグループを検索するための登録グループ検索要求情報を取得した後、当該登録グループ検索要求情報に基づき、前記プレゼンスサーバから特定のグループに関する情報を検索して、その結果を登録グループ情報とし、その後、当該登録グループ情報を、前記登録サーバに送信する登録グループ検索ステップをさらに含むことを特徴とする。
【００１６】
またさらに、前記プレゼンスリスト管理方法は、前記プレゼンスサーバが前記プレゼンスサーバにグループ識別標識を含むグループを登録するために必要なグループ登録情報を取得した後、当該グループ登録情報をグループ識別標識と関連付けてプレゼンスサーバに登録すると共に、当該グループ登録情報をプレゼンスサーバに登録した旨の情報を、前記登録サーバを経由して各ユーザ端末に送信するグループ登録ステップをさらに含むことを特徴とする。
【発明の効果】
【００１７】
本発明により、プレゼンスリストにバディを登録する場合における負担をより軽減することができる。
【００１８】
また、本発明においては、共用プレゼンスリストに存在するバディの管理が容易となり、バディを削除する場合においても、共用プレゼンスリストからバディを削除すればよく、ユーザ各自が所属するすべてのプレゼンスリストからバディを削除する必要がなくなる。
【００１９】
さらに、本発明により、例えば、グループに対してメッセージを送信すると、グループに登録されているユーザに配信され、配信先のユーザのプレゼンスを意識して、特定あるいは不特定のユーザに効率よく情報を配信することができる。
【発明を実施するための最良の形態】
【００２０】
以下、添付図面を参照して本発明の好ましい実施の形態を説明する。
【００２１】
まず、本発明のプレゼンスリスト管理方法において使用される主要な用語を簡単に説明する。
【００２２】
プレゼンスリストは、図１に示すように、メッセージングシステムにおいて、状態（プレゼンス）を見るバディ（プレゼンスリストに登録されたユーザやサービス（サービス内容））のリストである。プレゼンスリストには、登録されたメンバとしてのバディとそのバディの状態（例えば、「オンライン」、「オフライン」、「忙しい」、「退席中」などのバディの現状）が含まれる。このプレゼンスリストには、たとえば図１の（Ａ）に示すような個人向けのプレゼンスリスト（個人向けプレゼンスリスト）と、たとえば図１の（Ｂ）に示すような共用プレゼンスリストとが存在する。
たとえば図２に示すように、個人向けプレゼンスリストは、個人的な用途に使用されるリストであり、このリストへのアクセスは、本人のみがアクセス可能である。すなわち、個人向けプレゼンスリストは、基本的には自然人１人のみのリスト情報を原則として有するものであり、このリストへのメンバの追加は、個人向けプレゼンスリストとして登録された本人の同意が必要であり、この（これらの）登録メンバの下に、実施されるものであり、したがって、プライバシー保護を有する情報が存在するため、シークレット性、プライバシー保護の性質を有している情報が存在するのに使用される。
また共用プレゼンスリストは、複数のユーザが存在するリストであり、基本的には、加入には、オープン性が補償される（任意加入性の）ものである。したがって、メンバ登録時には、他の者（自然人あるいは法人、団体等）の同意は不要であり、情報の開示あるいは拡散化は原則として防止できない公開の性格を有する。ただし、たとえば、一企業に限定する等、ある条件が付加される場合には、同一企業に属する者、同一企業であっても、他部署である者は除外されるなど、加入する場合に、ある加入ルールが付加される場合がある。そして、たとえば、これらのある加入ルールが付加される場合には、管理者を設けてもよく、この場合には、この設けられた管理者が一元的に管理可能であり、一元的に管理できる場合には、本共用プレゼンスリストの登録メンバの管理も用意となる。なお管理には、管理者のみではなく、たとえば管理者に一元管理の権限を委託された者（委託端末：委託コンピュータを含む）が行なうこともできる。この共用プレゼンスリストには、このように、参加型スタティック共用プレゼンスリスト、参照型スタティック共用プレゼンスリストおよびアクティブプレゼンスリストの三種類のプレゼンスリストが存在してもよい。
【００２３】
ウォッチャリストは、メッセージングシステムにおいて、自分の状態（プレゼンス）を見ているユーザのリストである。
【００２４】
メッセージングシステムに参加した各ユーザの所有するユーザ端末には、プレゼンスリストが表示される。例えば、ＡのプレゼンスリストにＢが登録されていて、ＢのウォッチャリストにＡが登録されていれば、ＡにＢの状態が送信されるが、ＡのプレゼンスリストにＢが登録されていても、ＢのウォッチャリストにＡが登録されていなければ、ＡにＢの状態は送信されない。
【００２５】
本発明におけるプレゼンスリストとしては、ユーザプレゼンスリスト（本明細書中、「個人用プレゼンスリスト」または「個人向けプレゼンスリスト」とも言うことがある）と共用プレゼンスリストが挙げられる。なお、各ユーザ端末では、ユーザプレゼンスリストと共用プレゼンスリストのいずれか一方又は両方が表示される。
【００２６】
前記ユーザプレゼンスリストは、各ユーザ自らがメンバとして登録したバディのリストである。ユーザプレゼンスリストは、各ユーザを識別するユーザ識別標識としてのユーザＩＤと関連付けられている。バディは（あるユーザに対して他のユーザ）、バディを識別するバディ識別標識としてのユーザＩＤ（他のユーザのユーザＩＤ）と関連付けけられている。
【００２７】
ユーザプレゼンスリストは、たとえば図２に示すように、メンバとしてのバディを登録する方法の具体例としては、プレゼンスサーバが、各ユーザ端末から送られたユーザＩＤと他のユーザのユーザＩＤを含むユーザプレゼンスリスト登録情報を取得した後、プレゼンスリストデータベースに記録され、ユーザプレゼンスリスト登録情報に含まれるユーザＩＤに関連付けられた、ユーザプレゼンスリストの作成に必要な情報を、ユーザプレゼンスリスト登録情報に書き換えるか新規に登録されることが挙げられる。ここで、プレゼンスサーバが、取得したユーザＩＤと関連付けられたユーザプレゼンスリスト作成に関する情報をプレゼンスリストデータベースから抽出して、取得したユーザＩＤが含まれているか確認し、取得したユーザＩＤが含まれていない場合には、取得したバディを識別するＩＤ（新規なバディのユーザＩＤ）を、ユーザＩＤと関連付けられたユーザプレゼンスリスト作成に関する情報として、プレゼンスリストデータベースに登録しても差し支えない。
【００２８】
各ユーザ端末からユーザＩＤを含むユーザプレゼンスリスト作成に関する情報の要求があった場合には、プレゼンスサーバから、ユーザＩＤに関連付けられたユーザプレゼンスリスト作成に関する情報が送信される。ユーザプレゼンスリスト作成に関する情報を取得したユーザ端末は、このユーザプレゼンスリスト作成に関する情報に基づき、各ユーザ自らがメンバとして登録したバディとそのバディの状態を表示する。
【００２９】
一方、共用プレゼンスリストは、ユーザプレゼンスリストと異なり、一定の目的などによって分類されたグループに所属するメンバとして登録されたバディのリストである。共用プレゼンスリストは、グループを識別するグループ識別標識としてのグループＩＤと関連付けられている。本発明における共用プレゼンスリストには、たとえば図３に示すような参照型と、たとえば図４に示すような参加型とがある。
スタティック共用リストの１つである参照型共用プレゼンスリストは、メンバーの誰もが参照でき、リストの管理はリスト管理者のみ（リスト管理者に権限を委託された者を含む）が可能である。たとえば、参照型共用プレゼンスリストは、商品の割引情報等、不特定多数のユーザに情報を公開したい場合などに有効なリストとして使用可能である。この参照型共用プレゼンスリストは、リスト監視者からのみ閲覧したい対象ユーザの追加または削除が可能であり、また、許可をせずにユーザをリストに追加することもできる。またリストを作成するときに閲覧される側の許可を必要としないので、リストの作成をいつでも時間に制限なくまたは束縛されずに行うことができ、ほんの少しの追加的なリストの補充をする場合などでは、それを瞬時に補充、追加の実行が可能である。
またスタティック共用リストのもう１つの参加型共用プレゼンスリストは、リストに参加しているユーザのみが閲覧可能であり、不特定多数のユーザに情報を公開したくない場合に適するプレゼンスリストである。たとえば、企業の部門内のメンバ間で使用すると、他社のユーザあるいは他部門のユーザなどの第三者が閲覧を規制することができる。また、個人用プレゼンスリストと異なり、リストへの追加に互いの承認が不要であり、このため、人事異動などでメンバが変更になる場合でも、メンバ管理者が変更されるメンバのリストを変更することで済み、これが他のメンバを含むリスト全体に反映されることになる。このように、参加型共用プレゼンスリストでは、参加型共用プレゼンスリストの管理の権限があるユーザがプレゼンスリストに自分、またはその他のユーザを追加することやプレゼンスリストから削除することができる。また、閲覧したいユーザを追加するときに閲覧される側（リストのメンバ）の許可が必要でなく、このため、追加、削除あるいは新規にリストの更新（作成）ができる。また、リストに参加しているユーザのみが閲覧可能であり、不特定多数のユーザに情報を公開したくない場合、換言すればある条件を有するユーザのみに情報を公開（閲覧を条件付で実行）するようにする場合に好適なリストである。
【００３０】
共用プレゼンスリストにメンバ（グループに属するバディ）を登録する方法の具体例としては、例えば、プレゼンスサーバが、各ユーザ端末から送られたグループＩＤと登録しようとするユーザのユーザＩＤを含む共用プレゼンスリスト登録情報を取得した後、プレゼンスリストデータベースに記録され、共用プレゼンスリスト登録情報に含まれるグループＩＤに関連付けられた、共用プレゼンスリストの作成に必要な情報に含まれるこのユーザの情報を、共用プレゼンスリスト登録情報に含まれるユーザ情報に書き換えるか新規に登録することが挙げられる。ここで、プレゼンスサーバが、プレゼンスリストデータベースから取得したグループＩＤと関連付けられた共用プレゼンスリスト作成に関する情報を抽出して、取得したユーザＩＤが含まれているか確認し、取得したユーザＩＤが含まれていない場合には、グループＩＤと関連付けられた共用プレゼンスリスト作成に関する情報として、プレゼンスリストデータベースに登録（更新または新規に登録）しても差し支えない。なお、共用プレゼンスリストにメンバとしてのバディを登録または更新することができるのは、プレゼンスリストにアクセス権限があるユーザやサービス提供者などに限られる。
【００３１】
プレゼンスサーバに登録された共用プレゼンスリスト作成に関する情報は、共用プレゼンスリストに登録されているメンバであれば共用あるいは共有して使用することができる。ここで、各ユーザ端末からグループＩＤを含む共用プレゼンスリスト作成に関する情報の要求があった場合には、プレゼンスサーバにより、グループＩＤに関連付けられた共用プレゼンスリスト作成に関する情報がユーザ端末に送信される。
【００３２】
次に、本発明のプレゼンスリスト管理方法に用いられるプレゼンスリストの管理システムの基本的な構成の一例を図５に示す。
【００３３】
このシステムは、ユーザ端末１０と、登録サーバ２０と、プレゼンスサーバ３０と、情報配信サーバ４０とで構成されている。ユーザ端末１０と、登録サーバ２０と、プレゼンスサーバ３０と、情報配信サーバ４０とは、プログラム制御により動作し、インターネット等のネットワーク１００を介して相互に接続されている。
【００３４】
ユーザ端末１０及び他のユーザ端末１１は、パーソナルコンピュータ等の情報処理装置である。
【００３５】
登録サーバ２０は、ユーザ端末１０にユーザ登録やプレゼンスリスト管理などのインタフェースを提供し、ユーザ端末１０に表示する画面に必要な情報を送信し、ユーザ端末１０から送られたグループ情報に基づき、グループＩＤが重複しているか、共用プレゼンスリストにどのようなバディが登録されているかなどを確認するため、登録グループ検索要求情報、共用プレゼンスリスト確認情報などをプレゼンスサーバ３０に送信し、プレゼンスサーバ３０から、登録グループ情報、共用プレゼンスリストの作成に必要な情報を取得する。
【００３６】
また登録サーバ２０は、ユーザ端末１０に表示する画面に必要な情報を送信し、ユーザ端末１０から送られたユーザ情報に基づき、ユーザＩＤが重複しているか、ユーザプレゼンスリストにどのようなバディが登録されているかなどを確認するため、登録ユーザ検索要求情報、ユーザプレゼンスリスト確認情報などをプレゼンスサーバ３０に送信し、プレゼンスサーバ３０から、登録ユーザ情報、ユーザプレゼンスリストの作成に必要な情報を取得する。
【００３７】
プレゼンスサーバ３０は、プレゼンスリストデータベースを備え、ユーザ端末１０、登録サーバ２０からの要求に応じ、ユーザの登録、プレゼンスリストの管理、ユーザＩＤやグループＩＤに対応するプレゼンスリストや共用プレゼンスリストをユーザに提供する。
【００３８】
情報配信サーバ４０は、ユーザＩＤやグループＩＤに対応するプレゼンスリストや共用プレゼンスリストに登録されているバディの状態を考慮して配信し、また、ユーザ端末１０から送られた情報配信要求を取得し、プレゼンスサーバ３０を検索して、特定の送信先に情報配信する機能を備えている。ユーザ端末１０からの情報配信要求情報には、送信先条件、配信する情報、配信するタイミングの条件などが挙げられる。
【００３９】
本発明のプレゼンスリスト管理方法におけるユーザ登録処理の一例を図６に示す。
【００４０】
ユーザ端末１０が、登録サーバ２０に対し、ユーザ登録画面に関する情報を要求する（ステップＡ１）と、登録サーバ２０は、ユーザ登録画面に関する情報をユーザ端末１０に送信する（ステップＡ２）。
【００４１】
ユーザ端末１０では、ユーザ名、ユーザＩＤ、パスワード、バディ追加のポリシー（バディを追加する際に許可が必要か等）、必要なサービスなどのユーザ情報の入力・選択画面が表示される（ステップＡ３）。
【００４２】
ユーザ端末１０においてユーザ情報の入力が完了し（ステップＡ４）、登録ボタンのクリックなどが行われると、ユーザ情報がユーザ端末１０から登録サーバ２０に送信される（ステップＡ５）。
【００４３】
登録サーバ２０では、ユーザ端末１０からユーザ情報が取得されると、ユーザＩＤが重複していないか確認するため、ユーザＩＤを含む登録ユーザ検索要求情報がプレゼンスサーバ３０に送信される（ステップＡ６）。
【００４４】
プレゼンスサーバ３０では、登録ユーザ検索要求情報に基づき、プレゼンスデータベースから情報が検索されて、その結果が登録ユーザ情報とされ、登録ユーザ情報が登録サーバ２０に送信される（ステップＡ７）。
【００４５】
登録サーバ２０では、登録ユーザ情報が取得されると、結果（例えば、「本ユーザＩＤは使用できます。」、「本ユーザＩＤは使用できません。」など）を含むユーザ情報登録確認画面に関する情報が生成され（ステップＡ８）、ユーザ端末１０に送信される。
【００４６】
ユーザ端末１０では、ユーザ情報登録確認画面に関する情報が取得されると、ユーザ端末１０にユーザ情報登録確認画面が表示され、内容が正しければ、確認完了情報がユーザ端末１０から登録サーバ２０に送信される（ステップＡ９）。
【００４７】
また登録サーバ２０では、確認完了情報が取得されると、ユーザＩＤを含むユーザ登録情報とユーザＩＤとを含むユーザプレゼンスリスト登録情報がプレゼンスサーバ３０に送信される（ステップＡ１０）。
【００４８】
プレゼンスサーバ３０では、ユーザ登録情報とユーザプレゼンスリスト登録情報が取得されると、まず、ユーザ登録情報がユーザＩＤと関連付けてプレゼンスサーバに登録された後、ユーザＩＤと関連付けられたユーザプレゼンスリストデータベースが作製される。その後、バディユーザプレゼンスリスト登録情報がユーザＩＤと関連付けてプレゼンスサーバ３０に登録され（ステップＡ１１）、登録サーバ２０にユーザ登録の結果情報が送信される（ステップＡ１２）。
【００４９】
登録サーバ２０では、ユーザ登録の結果情報が取得されると、ユーザ登録の結果情報を元に、ユーザ登録結果画面に関する情報が生成され、ユーザ端末１０に送信される（ステップＡ１３）。
【００５０】
本発明のプレゼンスリスト管理方法におけるグループ登録処理の一例を図７に示す。
【００５１】
ユーザ端末１０が、登録サーバ２０に対し、グループ管理画面に関する情報を要求する（ステップＢ１）と、登録サーバ２０は、グループ管理画面に関する情報をユーザ端末１０に送信する（ステップＢ２）。
【００５２】
ユーザ端末１０では、グループ管理画面に関する情報に基づき、グループ管理に関する入力画面が表示される（ステップＢ３）。グループ名、グループＩＤ、グループ内にアクセスするためのパスワードを含むグループ情報の入力が完了し（ステップＢ４）、例えば、送信ボタンがクリックされると、そのグループ情報が、ユーザ端末１０から登録サーバ２０に送信される（ステップＢ５）。
【００５３】
登録サーバ２０では、グループ情報が取得されると、グループＩＤが重複していないか、そのグループにどのようなバディが登録されているかを確認するため、グループＩＤを含む登録グループ検索要求情報とグループＩＤを含む共用プレゼンスリスト確認情報がプレゼンスサーバ３０に送信される（ステップＢ６）。
【００５４】
プレゼンスサーバ３０では、登録グループ検索要求情報と共用プレゼンスリスト確認情報が取得されると、登録グループ検索要求情報に基づき、プレゼンスサーバが検索され、検索結果としての登録グループ情報が登録サーバ２０に送信されると共に、共用プレゼンスリスト確認情報に基づき、共用プレゼンスリストデータベースから共用プレゼンスリスト確認情報に含まれるグループＩＤに関連付けられた共用プレゼンスリストの作成に必要な情報が抽出され、抽出された共用プレゼンスリストの作成に必要な情報が登録サーバ２０に送信される（ステップＢ７）。
【００５５】
登録サーバ２０では、登録グループ情報と共用プレゼンスリストの作成に必要な情報が取得されると、グループ管理確認画面が生成され（ステップＢ８）、ユーザ端末１０に送信される。
【００５６】
ユーザ端末１０では、グループ管理確認画面が取得されると、ユーザ端末１０にグループ管理確認画面が表示される。グループにおけるバディの追加・変更・削除などのグループ管理情報の入力が完了する（ステップＢ９）と、グループ管理情報がユーザ端末１０から登録サーバ２０に送信される（ステップＢ１０）。
【００５７】
登録サーバ２０では、グループ管理情報が取得されると、グループＩＤとグループのメンバであるバディのユーザＩＤ（追加・変更・削除）の情報が含まれる共用プレゼントリスト登録情報がプレゼンスサーバ３０に送信される（ステップＢ１１）。
【００５８】
プレゼンスサーバ３０では、共用プレゼントリスト登録情報が取得されると、プレゼンスリストデータベースに記録され、共用プレゼントリスト登録情報に含まれるグループＩＤに関連付けられた、共用プレゼンスリストの作成に必要な情報が、共用プレゼンスリスト登録情報に含まれる情報に書き換えられ（ステップＢ１２）、その書き換えられた結果がグループ登録結果として登録サーバ２０に送信される（ステップＢ１３）。
【００５９】
登録サーバ２０では、グループ登録結果が取得されると、グループ登録結果を元にグループ登録結果画面が生成され、ユーザ端末１０に送信される（ステップＢ１４）。
【００６０】
本発明のプレゼンスリスト管理方法におけるバディの表示の一例を図８に示す。
【００６１】
ユーザ端末１０により、ユーザＩＤを含むユーザプレゼンスリスト要求情報及び／又はグループＩＤを含む共用プレゼンスリスト要求情報（ログイン情報）がプレゼンスサーバ３０に送信される（ステップＣ１）。
【００６２】
プレゼンスサーバ３０では、ユーザ端末１０から送られたログイン情報が取得されると、ユーザプレゼンスリスト要求情報に基づき、プレゼンスリストデータベースからユーザプレゼンスリスト要求情報に含まれるユーザＩＤに関連付けられたユーザプレゼンスリストの作成に必要な情報が抽出され（ステップＣ２）、共用プレゼンスリスト要求情報に基づき、プレゼンスリストデータベースから共用プレゼンスリスト要求情報に含まれるグループＩＤに関連付けられた共用プレゼンスリストの作成に必要な情報が抽出される（ステップＣ３）。その後、ユーザプレゼンスリストの作成に必要な情報と共用プレゼンスリストの作成に必要な情報は、ユーザ端末１０に送信される（ステップＣ４）。
【００６３】
これとは別に、プレゼンスサーバ３０では、バディの状態が取得され、取得されたバディの状態に関する情報がユーザ端末１０に送信される（ステップＣ５）。
【００６４】
ユーザ端末１０では、プレゼンスリストとバディの状態に関する情報が取得されると、ユーザ端末１０上で、バディとそのバディの状態のリストであるプレゼンスリスト（ユーザプレゼンスリスト及び／又は共用プレゼンスリスト）が表示される（ステップＣ６）。
【００６５】
本発明のプレゼンスリスト管理方法におけるバディに登録された他のユーザに情報を配信する処理の一例を図９に示す。
【００６６】
複数の特定・不特定のユーザに情報を配信するため、ユーザ端末１０から、他のユーザ端末に配信する配信情報を含む情報配信要求情報が情報配信サーバ４０に送信される（ステップＤ１）。例えば、情報配信要求情報としては、配信先条件、配信情報、配信するタイミング情報などが挙げられる。
【００６７】
情報配信サーバ４０では、情報配信要求情報が取得されると、情報配信先検索要求がプレゼンスサーバ３０に送信される（ステップＤ２）。
【００６８】
プレゼンスサーバ３０では、情報配信先検索要求が取得されると、情報配信要求情報に基づき、プレゼンスサーバからその要求を満たすユーザなどの情報が検索され、その結果としての配信検索結果情報が情報配信サーバ４０に送信される（ステップＤ３）。
【００６９】
情報配信サーバ４０では、配信検索結果情報が取得されると、配信するタイミング情報に従い配信待ちが行われ（ステップＤ４）、配信タイミングが満たされたときは、配信情報が配信される（ステップＤ５）。例えば、配信タイミングには、位置情報が変化した場合、状態が変化した場合、時間・位置・状態を組み合わせて条件に一致した場合などがある。配信タイミング条件がなければ、ただちに配信情報が配信される。
【００７０】
本発明のプレゼンスリスト管理方法におけるユーザ登録とグループ登録を処理する他の一例を図１０に示す。図６〜図８は、ログイン後に共用プレゼンスリストを要求し、共用プレゼンスリストに登録されているバディをユーザ端末１０で表示させたものであるが、図１０では、ユーザ登録時にユーザプレゼンスリストのバディを共用プレゼンスリストにも登録する点が異なる。
【００７１】
ユーザ端末１０から登録サーバ２０が提供しているユーザ登録画面にアクセスすると（ステップＥ１）、登録サーバ２０は、ユーザ登録画面をユーザ端末１０に送信する（ステップＥ２）。
【００７２】
ユーザ端末１０では、ユーザ名、ユーザＩＤ、パスワード、グループ名、グループＩＤ、バディ追加のポリシ（追加する際に許可が必要かどうかなど）、必要なサービス等の入力、または、選択する情報が画面に表示され（ステップＥ３）、ユーザ情報が入力される（ステップＥ４）。
【００７３】
ユーザ端末１０で入力されたユーザ情報は、例えば、登録ボタンがクリックされることにより、ユーザ端末１０から登録サーバ２０に送信される（ステップＥ５）。
【００７４】
登録サーバ２０では、ユーザ情報が取得されると、ユーザＩＤが重複していないか、プレゼンスリストにどのようなバディが登録されているかを確認するため、ユーザＩＤを含む登録ユーザ検索要求情報とユーザＩＤを含むユーザプレゼンスリスト確認情報がプレゼンスサーバ３０に送信される（ステップＥ６）。
【００７５】
プレゼンスサーバ３０では、登録ユーザ検索要求情報とユーザプレゼンスリスト確認情報が取得されると、登録ユーザ検索要求情報に基づき、プレゼンスリストデータベースが検索され、検索結果としての登録ユーザ情報が登録サーバ２０に送信されると共に、ユーザプレゼンスリスト確認情報に基づき、プレゼンスリストデータベースからユーザプレゼンスリスト確認情報に含まれるユーザＩＤに関連付けられたユーザプレゼンスリストの作成に必要な情報が抽出され、抽出されたユーザプレゼンスリストの作成に必要な情報が登録サーバ２０に送信される（ステップＥ７）。
【００７６】
登録サーバ２０では、登録ユーザ情報とユーザプレゼンスリストの作成に必要な情報が取得されると、結果（例えば、「本ユーザＩＤは使用できます。」、「本ユーザＩＤは使用できません。」など）を含むユーザ情報登録確認画面が生成され、ユーザ端末１０に送信される（ステップＥ８）。
【００７７】
ユーザ端末１０では、ユーザ情報登録確認画面が取得され、内容が正しければ、確認完了情報が登録サーバ２０に送信される（ステップＥ９）。
【００７８】
また登録サーバ２０では、確認完了情報が取得されると、ユーザＩＤを含むユーザ登録情報とユーザＩＤを含むユーザプレゼンスリスト登録情報がプレゼンスサーバ３０に送信される（ステップＥ１０）。ただし、ユーザのバディは登録ユーザ検索（ステップＥ６）で行った際に取得したメンバである。
【００７９】
プレゼンスサーバ３０では、ユーザ登録情報とユーザプレゼンスリスト登録情報が取得されると、まず、ユーザ登録情報がユーザＩＤと関連付けてプレゼンスリストデータベースに登録された後、ユーザＩＤと関連付けられたプレゼンスリストデータベースが作製される。その後、バディユーザプレゼンスリスト登録情報がユーザＩＤと関連付けてプレゼンスサーバに登録され（ステップＥ１１）、登録サーバ２０にユーザ登録の結果情報が送信される（ステップＥ１２）。
【００８０】
登録サーバ２０では、ユーザ登録の結果情報が取得され、正常に登録が行われたことが確認されると、ステップＥ１１で登録を行ったバディを共用プレゼンスリストに追加するため、グループＩＤとグループのメンバであるユーザＩＤの情報が含まれる共用プレゼントリスト登録情報がプレゼンスサーバ３０に送信される（ステップＥ１３）。
【００８１】
プレゼンスサーバ３０では、共用プレゼントリスト登録情報が取得されると、プレゼンスリストデータベースに記録され、共用プレゼントリスト登録情報に含まれるグループＩＤに関連付けられた、共用プレゼンスリストの作成に必要な情報が、共用プレゼンスリスト登録情報に書き換えるか新規に登録され（ステップＥ１４）、その書き換えまたは新規登録された結果がグループ登録の結果情報として登録サーバ２０に送信される（ステップＥ１５）。
【００８２】
登録サーバ２０では、ユーザ登録の結果情報とグループ登録の結果情報が取得されると、ユーザ登録の結果情報とグループ登録の結果情報を元にユーザ登録結果画面が生成され、ユーザ端末１０に送信される（ステップＥ１６）。
【産業上の利用可能性】
【００８３】
本発明によれば、ツアー等のイベントでメッセンジャーを使用する際の申し込みや、ユーザが個別にグループを作成する際のユーザ管理の補助といった用途に適用することができる。また、グループ内の特定のメンバに情報を配信するといった用途にも適用可能である。
【図面の簡単な説明】
【００８４】
【図１】プレゼンスリストの例を示す図であり、（Ａ）は個人用プレゼンスリストの例を示し、（Ｂ）は、共用プレゼンスリストの例を示す。
【図２】個人用（個人向け）プレゼンスリストの管理機能の例を説明するための図である。
【図３】スタティック共用リストの１つである参照型プレゼンスリストの管理機能の例を説明するための図である。
【図４】スタティック共用リストのもう１つである参加型プレゼンスリストの管理機能の例を説明するための図である。
【図５】本発明のプレゼンスリスト管理方法における基本的な構成を説明する図である。
【図６】本発明のプレゼンスリスト管理方法におけるユーザ登録処理の一例を示すフロー図である。
【図７】本発明のプレゼンスリスト管理方法におけるグループ登録処理の一例を示すフロー図である。
【図８】本発明のプレゼンスリスト管理方法におけるバディの表示の一例を示すフロー図である。
【図９】本発明のプレゼンスリスト管理方法におけるバディに登録された他のユーザに情報を配信する処理の一例を示すフロー図である。
【図１０】本発明のプレゼンスリスト管理方法におけるユーザ登録とグループ登録を処理する他の一例を示すフロー図である。
【符号の説明】
【００８５】
１０    ユーザ端末
１１    他のユーザ端末
２０    グループ登録サーバ
３０    ユーザ登録サーバ
４０    プレゼンスサーバ
５０    情報配信サーバ
１００    ネットワーク
【図１】
2006172393.tif 000003
【図２】
2006172393.tif 000004
【図３】
2006172393.tif 000005
【図４】
2006172393.tif 000006
【図５】
2006172393.tif 000007
【図６】
2006172393.tif 000008
【図７】
2006172393.tif 000009
【図８】
2006172393.tif 000010
【図９】
2006172393.tif 000011
【図１０】
2006172393.tif 000012